(57)【要約】      （修正有）【課題】プラスチック製器具を各自動車に設けられているシートベルト挿入口へ挿入することにより、普段と同じシートベルト装着状態と認識させることができる警音停止器具を提供する。【解決手段】該警音停止器具は、各自動車に設置されている自動者側シートベルト差込口に挿入出来る板状体で構成し、該板状体にチェーン、紐等を通す孔１および、プラスチック製警音停止器具を解除の際、飛散を防止するため指と指で軽く挟む若しくは指を通すための孔２を穿つ。これにより自動車側シートベルト解除ボタンを押した際に身体や顔に飛んでこない、または車内内部に飛び散らないようにする。【選択図】図１
0003158840.tif 000002
【実用新案登録請求の範囲】
【請求項１】
各自動車に設置されたシートベルト挿入口にプラスチック製警音停止器具を挿入することで、エンジン始動後若しくは走行中に発生する警音を解除することを特徴とするプラスチック製警音停止器具。
【請求項２】
道路交通法第七十一条の三第一項の一〜八が定めるシートベルト装着義務の免除者の使用に限るプラスチック製警音停止器具。
【請求項３】
荷物やペットを乗車させるときの使用に限るプラスチック製警音停止器具。
【考案の詳細な説明】
【技術分野】
【０００１】
本考案は、現在に至る自動車シートベルト未着用事に発生する警音を解除するためシートベルト装着義務免除者（道路交通法第七十一条の三第一項の一〜八に該当する。）に関するものである。
【背景技術】
【０００２】
従来のシートベルト警音停止器具には、以下のようなものがある。
【先行技術文献】
【特許文献】
【０００３】
【特許文献１】特開２００６−２９００５８号公報
【考案の概要】
【考案が解決しようとする課題】
【０００４】
各自動車に設置されているシートベルトの未着用時に発生する警音を停止するため、シートベルト装着義務免除者（道路交通法第七十一条の三第一項の一〜八に該当する）が運転若しくは搭乗する際、又は荷物等を乗せる際に継続して警音機能が働く自動車に対して不快感を和らげる機能を目的とする。免除者とは、道路交通法第七十一条の三第一項の一〜八に定めた次に揚げるとおりである。
一  負傷若しくは障害のため又は妊娠中であることにより座席ベルトを装着することが治療上又は健康保持上適当でない者が自動車を運転するとき。
二  著しく座高が高いか又は低いこと、著しく肥満していることその他の身体の状態により適切に座席ベルトを装着することができない者が自動車を運転するとき。
三  自動車を後退させるため当該自動車を運転するとき。
四  法第四十一条の二第一項に規定する消防用車両である自動車の運転者が当該消防用車両である自動車を運転するとき。
五  人の生命若しくは身体に危害を及ぼす行為の発生をその身辺において警戒し、及びその行為を制止する職務又は被疑者を逮捕し、若しくは法令の規定により身体の自由を拘束されている者の逃走を防止する職務に従事する公務員が当該職務のため自動車を運転するとき。
六  郵便物の集配業務その他業務のため自動車を使用する場合において当該業務に従事する者が頻繁に当該自動車に乗降することを必要とする業務として国家公安委員会規則で定める業務に従事する者が、当該業務につき頻繁に自動車に乗降することを必要とする区間において当該業務のために使用される自動車を運転するとき。
七  自動車に乗車している者の警衛若しくは警護を行うため又は車列を組んでパレード等を行う自動車に係る交通の安全と円滑を図るためその前方及び後方等を進行する警察用自動車（緊急自動車である警察用自動車を除く。）により護衛され、又は誘導されている自動車の運転車が当該自動車を運転するとき。
八  公職選挙法（昭和二十五年法律第百号）の適用を受ける選挙における公職の候補者又は選挙運動に従事する者が同法第百四十一条の規定により選挙運動のために使用される自動車を当該選挙運動のため運転するとき。
一部他メーカーからシートベルト警音停止器具は販売されているが、シートベルト結合部に装着する先端部は、金属製が大半を占める。これらの警音停止器具は、金属製のため熱を吸収しやすいので、警音停止器具を解除した状態で更に車内に放置したままの状態であれば、特に真夏日などは猛烈な車内温度となるため、金属製でできた警音停止器具に至っては熱を吸収し、火傷等の怪我を起こす恐れがある。また製造するにあたって金属製は、コストもかかる。
【課題を解決するための手段】
【０００５】
現在の各自動車は、シートベルト未着用の場合、警音ブザーが作動する自動車が多数ある。助手席側に荷物を置いただけやペットを搭乗させた場合でも警音ブザーが作動するケースが多い。そこで各自動車に設置されている自動車側シートベルト差込口に本考案のプラスチック製警音停止器具を挿入することにより、普段シートベルト着用と同じ働きを作動させ、課題を解決させることができる。
【考案の効果】
【０００６】
そこで本考案は、プラスチック製シートベルト警音停止器具を提供する。プラスチック製なので、金属製に比べ車内放置しておいても熱の吸収率が少なく、また金属に比べ軽量な分チェーン若しくは紐等を通しておけば、キーホルダー感覚で携帯することができる。また本考案のプラスチック製警音停止器具は、自動車側シートベルト差込口から解除の際、勢い余って飛散する恐れを防止するために設けた孔を指と指で挟み身体や顔又は車内内部等を守るためである。そして本考案のプラスチック製警音停止器具の全ての角部は、使用する際に使用者の手等を傷付けないために、Ｒ形状で製作されている。更に製造するにあたって、金属よりもコスト削減をすることができる。今回の考案で、運転する者も搭乗する者も様々な訳でやむを得ずシートベルト装着が困難な場合であっても、本考案であるプラスチック製警音停止器具を装着することにより、警音を制御し、シートベルト装着状態と同じ働きとなっておるので、落ち着いて運転又は搭乗することができ警音による不快感を解消することができる。各自動車のシートベルト先端部と本考案のプラスチック製警音停止器具の先端部は、ほぼ同じ形状になっておるので、一部の車両を除くほとんどの自動車に装着可能である。
【図面の簡単な説明】
【０００７】
【図１】プラスチック製警音停止補助器具（平面図）である。
【図２】自動車側シートベルト挿入口である。
【図３】組図である。
【図４】プラスチック製警音停止器具（断面図）である。
【考案を実施するための形態】
【０００８】
図１のプラスチック製警音停止器具を各自動車に設けられている図２のシートベルト挿入口へ挿入することにより普段と同じシートベルト装着状態と認識させることができる。図３は、図１を挿入した状態の組図である。
【実施例】
【０００９】
以下、添付図面に従って一実施例を説明する。１はチェーン、紐等を通す孔である。２の孔は、プラスチック製警音停止器具を解除の際、飛散を防止するため指と指で軽く挟む若しくは指を通すために設けた孔であり、これにより３の自動車側シートベルト解除ボタンを押した際に身体や顔に飛んでこない、または車内内部に飛び散らないようになっている。４は先端部である。５は使用の際に手を傷つけないようにR形状でできている。
【符号の説明】
【００１０】
１  チェーン、紐等を通す孔
２  飛散防止孔
３  自動車側シートベルト解除ボタン
４  先端部
５  Ｒ形状（全周）
【図１】
0003158840.tif 000003
【図２】
0003158840.tif 000004
【図３】
0003158840.tif 000005
【図４】
0003158840.tif 000006
【手続補正書】
【提出日】平成22年2月18日(2010.2.18)
【手続補正１】
【補正対象書類名】実用新案登録請求の範囲
【補正対象項目名】全文
【補正方法】変更
【補正の内容】
【実用新案登録請求の範囲】
【請求項１】
下部中央に四角の形で孔が設けてあり、角部全体がＲ形状で厚みは板状になっており、上部中央に孔を設けてあり、最上部右側に紐を通す孔が設けてあるプラスチック製警音停止器具。